(57)【要約】【課題】顎、左右の目尻、及び額に亘る広い範囲の皺伸ばしをしっかりと行なえる顔面皺伸ばし用装具を提供する。【解決手段】顎、目尻と耳の間、及び額に沿って頭部を締める環状ベルト１の上半周部に左右一対の引きベルト２、２を一端側を取り付け、伸縮性を有する両引きベルト２、２を、襷掛けで後斜め下方に引っ張って他端側を環状ベルト１の下半周部に留め、このとき、両引きベルト２、２を潜らせるベルト通し４が両引きベルト２、２の交差による下側谷縁５で下側へ引かれるようにした。これにより、両引きベルト２、２の伸縮性を利用して環状ベルト１の上半周部及び下半周部に後側への引っ張りをしっかりと加えられ、ベルト通し４により環状ベルト１の下半周部をバランスよく引き上げられる。【選択図】図１
2008272436.tif 000002
【特許請求の範囲】
【請求項１】
顎、目尻と耳の間、及び額に沿って頭部を締める環状ベルト（１）と、前記環状ベルト（１）の上半周部に一端側を取り付けた左右一対の引きベルト（２、２）とを備え、前記左右一対の引きベルト（２、２）のそれぞれを、襷掛けで後斜め下方に引っ張って他端側を前記環状ベルト（１）の下半周部に留めるようにした顔面皺伸ばし用装具。
【請求項２】
前記左右一対の引きベルト（２、２）を、全方向に伸縮性を有するものとした請求項１に記載の顔面皺伸ばし用装具。
【請求項３】
前記環状ベルト（１）の上半周部のうち、前記左右一対の引きベルト（２、２）間の周方向中間部分に、両引きベルト（２、２）を潜らせるベルト通し（４）を設け、前記ベルト通し（４）が両引きベルト（２、２）の交差で形成される下側谷縁（５）により下側へ引かれるようにした請求項１又は２に記載の顔面皺伸ばし用装具。
【請求項４】
前記左右一対の引きベルト（１２、１２）のそれぞれを、前記環状ベルト（１１）に対して後斜め上方に延びるように設けた請求項３に記載の顔面皺伸ばし用装具。
【請求項５】
前記環状ベルト（１１）の下半周部の周方向２分線上に、後方に開放するスリット（１１ａ）を形成した請求項１から４のいずれか１つに記載の顔面皺伸ばし用装具。
【請求項６】
前記左右一対の引きベルト（１２、１２）のそれぞれを、前記環状ベルト（１１）にベルト一端部（１２ａ、１２ａ）を重ねて取り付け、各引きベルト（１２、１２）に、ベルト側縁（１２ｂ、１２ｃ）に沿うスリット（１２ｄ、１２ｅ）を前記ベルト一端部（１２ａ、１２ａ）から形成した請求項１から５のいずれかに１つに記載の顔面皺伸ばし用装具。
【発明の詳細な説明】
【技術分野】
【０００１】
この発明は、顔面の皮膚に生じた皺を伸ばす顔面皺伸ばし用装具に関する。
【背景技術】
【０００２】
従来、顔面の皮膚に生じた皺を伸ばすために、種々の装具が利用されている。中でも、人目を気にする必要のない在宅時や在室時に装着される顔面皺伸ばし用装具は、額、左右の目尻を含む広い範囲の皺伸ばしを図れるようになっている。
【０００３】
従来、この種の顔面皺伸ばし用装具としては、顎、目尻と耳の間、及び額に沿って頭部を締める環状ベルトからなり、その環状ベルトを顎を中心に全体的に後傾させることにより、顔面を後側に引っ張るようにしたものが普及している。
【０００４】
また、皺が目立ち易い目尻や額付近をしっかりと後側に引っ張れるようにした顔面皺伸ばし用装具がある。例えば、左右の目尻から額の生え際に亘った範囲に沿わせる逆Ｕ字状基体と、その逆Ｕ字状基体の両下端部間に連結された弾性紐と、その逆Ｕ字状基体の逆Ｕ字中間部から後側に設けられた紐通しとを備え、弾性紐を後頭部に架けた状態で長さ調節を行って逆Ｕ字状基体の両下端部を後側に引っ張り、紐通しの長さ調節を行なって逆Ｕ字状基体の逆Ｕ字中間部を後側に引っ張るようにしたものがある（特許文献１）。
【０００５】
【特許文献１】特開２００４−１７４１９４号公報
【発明の開示】
【発明が解決しようとする課題】
【０００６】
しかしながら、前掲の特許文献１の顔面皺伸ばし用装具は、額及び目尻付近をしっかりと後側に引っ張ることはできても、顎部付近の皺を伸ばすことができない。また、上述の環状ベルトからなる顔面皺伸ばし用装具も、顎を中心に全体的に後傾するため、顎付近を後側に引っ張ることが特に弱い。このように、従来の顔面皺伸ばし用装具は、顎付近の皺を伸ばし難い問題がある。
【０００７】
そこで、この発明の課題は、顎、左右の目尻、及び額に亘る広い範囲の皺伸ばしをしっかりと行なえる顔面皺伸ばし用装具を提供することである。
【課題を解決するための手段】
【０００８】
上記の課題を解決するため、この発明に係る顔面皺伸ばし用装具は、顎、目尻と耳の間、及び額に沿って頭部を締める環状ベルトと、前記環状ベルトの上半周部に一端側を取り付けた左右一対の引きベルトとを備え、前記左右一対の引きベルトのそれぞれを、襷掛けで後斜め下方に引っ張って他端側を前記環状ベルトの下半周部に留めるようにした構成を特徴とするものである。
【０００９】
この発明の構成によれば、顎、目尻と耳の間、及び額に沿って頭部を環状ベルトで締めた状態で、その環状ベルトの上半周部が、左右一対の引きベルトにより、後斜め下方に引っ張られる。さらに、その環状ベルトの下半周部は、襷掛けで留められた左右一対の引きベルトの引っ張り力を留め部を介して受けることになり、後斜め上方に引っ張られる。
【発明の効果】
【００１０】
したがって、この発明は、上記構成の採用により、顎、目尻と耳の間、及び額に沿って頭部を締める環状ベルトの上半周部及び下半周部のそれぞれに後側への引っ張りを加えられるので、顎、左右の目尻、及び額に亘る広い範囲の皺伸ばしをしっかりと行うことができる。
【発明を実施するための最良の形態】
【００１１】
以下、この発明の第１実施形態を添付図面に基づいて説明する。
図１は、第１実施形態に係る顔面皺伸ばし用装具を装着した状態を示し、（ａ）は頭部左側から、（ｂ）は頭部後側から視た様子である。図２は、第１実施形態に係る顔面皺伸ばし用装具の構成を示し、（ａ）は前面図であり、（ｂ）は顔面皺伸ばし用装具の左半分の大部分を切り欠いて描いている。図３は、第１実施形態に係る顔面皺伸ばし用装具の右半分の一部を切り欠いて描いた上面図である。
【００１２】
図１〜図３に示すように、第１実施形態に係る顔面皺伸ばし用装具は、顎、目尻と耳の間、及び額に沿って頭部を締める環状ベルト１と、環状ベルト１の上半周部に一端側を取り付けた左右一対の引きベルト２、２とを備え、全体が左右対称に設けられている。
【００１３】
環状ベルト１は、円筒状の伸縮ベルト体１ａと、伸縮ベルト体１ａの内周下端部に設けられた顎当て部１ｂと、伸縮ベルト体１ａの内周前端部に、顎当て部１ｂの部分を除いて取り付けられた滑り止め部１ｃと、伸縮ベルト体１ａに形成された耳出し孔１ｄ、１ｄとを有している。
【００１４】
環状ベルト１は、全体として全方向に伸縮性を有する。この伸縮性により、環状ベルト１の頭部へのフィット性を高めると共に、サイズ調整なしに頭部形状の個人差を吸収することを可能にしている。
【００１５】
より具体的には、円筒状の伸縮ベルト体１ａは、頭部の形状により上下方向に引き伸ばされるので、顎、目尻と耳の間、及び額に沿ってフィットし、頭部を締めることができる。
【００１６】
顎当て部１ｂは、伸縮ベルト体１ａの中に柔軟な弾性部材を入れ込んだ構造になっており、伸縮ベルト体１ａの上述のフィットを阻害しないようになっている。
【００１７】
滑り止め部１ｃは、皮膚に無害性の摩擦増大部材からなり、伸縮ベルト体１ａの変形に追従する柔軟性、伸縮性を有している。滑り止め部１ｃには、例えば、シリコン系ゴム製のテープ状のものを採用することができる。
【００１８】
なお、第１実施形態に係る顔面皺伸ばし用装具では、環状ベルト１を無端状で、かつ伸縮性を有するものとして装着を容易に行えるようにしたが、環状ベルト１を有端状のものとし、両端部の留め重ね代の調整により頭部を締める構成や、環状ベルト１に周長調節機能をもたせ、環状ベルト１の締め込みにより頭部を絞める構成を採用することも可能である。
【００１９】
左右一対の引きベルト２、２のそれぞれは、襷掛けで後斜め下方に引っ張って他端側を環状ベルト１の下半周部に留めるようになっている。
【００２０】
より具体的には、各引きベルト２の取付位置は、耳出し孔１ｄの後方にベルト幅の下端部が位置するようになっている。耳出し孔１ｄの前方に目尻があるから、引きベルト２の襷掛けにより同側の目尻の皺を後斜め上方に自然な感じで引き伸ばすことができる。
【００２１】
各引きベルト２の他端側には、複数の留め具３ａ、３ｂ、３ｃが環状ベルト１からの距離がベルト長さ方向に異なるように設けられている。環状ベルト１の下半周部の左右領域のそれぞれに、いずれかの留め具３ａ、３ｂ、３ｃと係合する留め具３ｄが設けられている。各引きベルト２、２による引っ張り具合は、複数の留め具３ａ、３ｂ、３ｃのいずれかを選択することにより調節することができる。
【００２２】
引きベルト２、２は、全方向に伸縮性を有するものとなっている。それらの収縮性により、後頭部の形状に沿って、環状ベルト１をより強く引っ張ることが可能になる。
【００２３】
なお、留め具３ａ〜３ｄには、スナップボタンを採用したが、面ファスナ、ホック等の他の留め具を適宜に採用することが可能である。
【００２４】
各引きベルト２は、環状ベルト１の上半周部の周方向中央部に達しないベルト幅とし、これにより、ベルト伸張を容易にしている。この構成の採用と引き換えに、環状ベルト１のうち、上半周部の引きベルト２、２間の周方向中間部分は、両引きベルト２、２による引っ張りの影響が耳出し孔１ｄの付近より弱くなる。
【００２５】
そこで、この顔面皺伸ばし用装具では、環状ベルト１の上半周部のうち、左右一対の引きベルト２、２間の周方向中間部分に、両引きベルト２、２を潜らせるベルト通し４を設け、ベルト通し４が両引きベルト２、２の交差で形成される下側谷縁５により下側へ引かれるようにしている。
後斜め下方に引っ張られた両引きベルト２、２の交差部分は、後頭部の形状に沿って緊張しているから、下側谷縁５でベルト通し４を下側に引くことが可能である。これにより、両引きベルト２、２の襷掛けにより各引きベルト２が後頭部に斜めに架かることを許容しながら、ベルト通し４によって上記の中間部分をしっかりと後側に引くことができる。
【００２６】
なお、第１実施形態に係る顔面皺伸ばし用装具は、各引きベルト２の留め位置を複数段階で調整可能としたが、最も各引きベルト２の有効ベルト長が長くなる留め具３ａの位置においても、下側谷縁５の最奥部がベルト通し４の内周より下側に位置するようにし、すべての調節位置において上記の中間部分を後側に引くことが可能になっている。
【００２７】
ベルト通し４は、全方向の伸縮性を有するものとなっている。これにより、ベルト通し４は、後頭部の形状に沿って下側谷縁５に掛り易くなっている。
【００２８】
なお、第１実施形態に係る顔面皺伸ばし用装具では、環状ベルト１、各引きベルト２、ベルト通し４の寸法調整機能が自己の伸縮性のみによるため、環状ベルト１の周長を基準として、各部の寸法が定められる。これにより、頭部形状の個人差を吸収しながら、装具の複雑な寸法調整を避け、装着を容易化している。
【００２９】
第１実施形態に係る顔面皺伸ばし用装具は、上記の構成を有するものであり、その装着方法を以下に説明する。先ず、図１、図４、図５（ａ）に示すように、伸縮性を有する環状ベルト１は、前方から頭部の顎と上端間に亘って押し通された結果、顎当て部１ｂが顎を優しく包み、耳出し孔１ｄに耳が通り、全体として顎、目尻と耳の間、及び額に沿って頭部を絞める状態になる。
顎当て部１ｂ、耳出し孔１ｄの存在により、環状ベルト１は、顎を中心に全体として後傾し、かつ各引きベルト２が目尻より若干高くなる最適の位置に自ずから装着される。
【００３０】
次に、図５（ｂ）に示すように、左右一方側の引きベルト２が、ベルト通し４に通されて後斜め下方に引っ張られ、環状ベルト１の下半周部の左右他方側の留め具３ｄに適宜の引っ張り具合となる左右一方側の留め具３ａ、３ｂ、３ｃのいずれかが係合される。左右他方側の引きベルト２も、同じようにして環状ベルト１の下半周部の左右一方側に留められ、図１、図５（ｃ）に示す装着状態となる。なお、図５では、各引きベルト２の留め具３ａ、３ｂ、３ｃを中間の３ｂで係合した状態を例示している。
【００３１】
上記の装着状態では、図１に示すように、顎、目尻と耳の間、及び額に沿って頭部を環状ベルト１で締めた状態で、各引きベルト２は、図１中に矢線で示すように、環状ベルト１の上半周部を後斜め下方かつ左右反対側に引っ張り、ベルト通し４が下側谷縁５で下側に引かれることにより両ベルト２、２間の周方向中間部を後側に引っ張る。
環状ベルト１の滑り止め部１ｃは、頭髪乃至額に対する滑りを防止し、環状ベルト１による額付近の後側への引き上げ効果をより高める。左右の目尻付近の皺は、両ベルト２、２による引っ張りで後斜め上方へ自然な感じで伸びる。
さらに、各引きベルト２は、図１中に矢線で示すように、環状ベルト１の下半周部を、後斜め上方かつ左右反対側に引っ張る。これにより、顎付近の皺は、後斜め上方に伸びる。
【００３２】
したがって、第１実施形態に係る顔面皺伸ばし用装具は、顎、目尻と耳の間、及び額に沿って頭部を締める環状ベルト１の上半周部及び下半周部のそれぞれに、両引きベルト２、２により後側への引っ張りを加えられるので、顎、左右の目尻、及び額に亘る広い範囲の皺伸ばしをしっかりと行うことができる。
【００３３】
なお、第１実施形態に係る顔面皺伸ばし用装具では、環状ベルト１が、顎下から首前部間に亘る幅を有している。これにより、環状ベルト１の下半周部が両引きベルト２、２による後側への引っ張りを受けたとき、その下半周部の縁部が首前部に接触する。このため、環状ベルト１の下半周部が顎を滑り難くい。
【００３４】
さらに、第１実施形態に係る顔面皺伸ばし用装具では、環状ベルト１の下半周部が両引きベルト２、２による引っ張りを受けたとき、弾性部材を含んで構成された顎当て部１ｂが、その下半周部の潰れを防止する。このため、環状ベルト１の下半周部のフィット感が悪化することも防止される。
【００３５】
この発明の第２実施形態に係る顔面皺伸ばし用装具について図６〜図９に基づいて説明する。なお、以下では、上記第１実施形態との相違点を中心に述べる。
【００３６】
図６、図７に示すように、第２実施形態に係る顔面皺伸ばし用装具は、耳出し孔の不要な細幅の環状ベルト１１に変更され、顎当て部が省略されたものとなっている。
【００３７】
環状ベルト１１の下半周部の周方向２分線（すなわち、下半周部を周方向に２分する仮想線）上に、後方に開放するスリット１１ａが形成されている。図８（ａ）に装着状態を左側面から示すように、スリット１１ａは、環状ベルト１１の下半周部の周方向２分線上に位置するため、顎中央付近に当ることになる。そして、環状ベルト１１の下半周部の顎付近が左右一対の引きベルト１２、１２で後側に引っ張られると、スリット１１ａは、後方に開放しているため、左右に割れ、これにより、環状ベルト１１の後端縁の顎元付近の緊張が緩和される。したがって、第２実施形態に係る顔面皺伸ばし用装具は、環状ベルト１１の顎付近を後側へ強く引っ張っても、スリット１１ａがない場合と比較すると、環状ベルト１１の後端縁が顎元に食い込み難くい。
【００３８】
左右一対の引きベルト１２、１２のそれぞれは、環状ベルト１１に対して後斜め上方に延びるように設けられている。図８（ｂ）に装着状態の後面図を示し、図９に装着状態の後方斜視図を示すように、ベルト通し１４に通す襷掛けの下側谷縁１５の最奥部の位置は、左右一対の引きベルト１２、１２が後斜め上方に延びているため、より上方に位置させられる。すなわち、第２実施形態に係る顔面皺伸ばし用装具は、下側谷縁１５の最奥部によりベルト通し１４をより上方の位置から下側に引くことができ、ひいては、より皺伸ばしを強く行なうことができる。
【００３９】
また、第２実施形態に係る顔面皺伸ばし用装具は、上記のように各引きベルト１２を後斜め上方に延びるように設けた結果、水平に延びる上記第１実施形態のものよりベルト長が長くなる。このため、各引きベルト１２に設ける留め具１３ａ〜１３ｄの数を上記第１実施形態より多くすることが可能である。すなわち、第２実施形態に係る顔面皺伸ばし用装具は、各引きベルト１２に設ける留め具１３ａ〜１３ｄの数を増やし、かつ下側谷縁１５の最奥部によりベルト通し１４をより上方の位置から下側に引く、換言すれば、より広い調整範囲を設けることもできる。
【００４０】
なお、図７（ｂ）に示すように、左右一対の引きベルト１２、１２のそれぞれは、環状ベルト１１に対して後斜め上方に延びるように設けられた結果、各引きベルトを水平に延びる上記第１実施形態と比して、環状ベルト１１の後端縁に重ねられる範囲が傾きに応じて増えている。すなわち、各引きベルト１２のベルト一端部１２ａを、環状ベルト１１のより広い周方向範囲に亘って重ねた取り付けが可能である。これを利用し、各引きベルト１２のベルト一端部１２ａは、各引きベルト１２全体のベルト幅が大きくなることを避けながらも、環状ベルト１１の上半周部から下半周部に及ぶように設けられる。したがって、第２実施形態に係る顔面皺伸ばし用装具は、各引きベルト１２を全体として幅広に設けることなく、環状ベルト１１のより顎に近いところに引っ張り力を作用させることができる。
【００４１】
第２実施形態に係る顔面皺伸ばし用装具は、上述のように、ベルト通し１４をより上方の位置から下側に引くことができるため、環状ベルト１１の上半周部をより強く後側に引っ張ることができる。これに応じて、環状ベルト１１の上半周部が後側に抜ける恐れを確実に無くすため、図７、図８（ａ）に示すように、環状ベルト１１の上半周部に額掛けベルト１６が設けられている。額掛けベルト１６は、左右一対の引きベルト１２、１２で引っ張られた環状ベルト１１の上半周部が後側に変位する範囲を規制し、上記の抜け止めとなる。
【００４２】
各引きベルト１２、１２のベルト一端部は、環状ベルト１１に重ねて取り付けられている。下側谷縁１５の最奥部によりベルト通し１４を下側へ引くと、各引きベルト１２はベルト幅方向に潰れることになる。各引きベルト１２のベルト一端部が全幅に亘って環状ベルト１１に重なっていると、ベルト一端部付近に上記の潰れによる皺が寄る。そこで、各引きベルト１２は、ベルト側縁１２ｂ、１２ｃに沿うスリット１２ｄ、１２ｅをベルト一端部１２ａから形成したものとなっている。各引きベルト１２のベルト側縁１２ｂ、１２ｃに沿って形成しておけば、上記のベルト幅方向の潰れがスリット１２ｄ、１２ｅで吸収されるので、皺の発生を防止することができる。
【００４３】
なお、第２実施形態に係る顔面皺伸ばし用装具は、上述のように各引きベルト１２のベルト一端部１２ａが環状ベルト１１に重なる範囲が広いため、上側側縁１２ｂに沿うスリット１２ｄ、下側側縁１２ｃに沿うスリット１２ｅが形成されている。各引きベルト１２のベルト幅が狭い場合は、側縁に沿うスリットをベルト幅の中間に一箇所形成するだけで済ますこともできる。
【図面の簡単な説明】
【００４４】
【図１】ａは第１実施形態に係る顔面皺伸ばし用装具を装着状態で示す左側面図、ｂは同状態の後面図
【図２】ａは図１の顔面皺伸ばし用装具の前面図、ｂは左半分の大部分を切り欠いて示す縦断面図
【図３】図１の顔面皺伸ばし用装具の一部切欠き上面図
【図４】図１の顔面皺伸ばし用装具を頭部に装着する様子を示した後方斜視図
【図５】ａは図１の環状ベルトを頭部に装着した状態の後面図、ｂは図１の左右一方側の引きベルトを環状ベルトに留める様子を示した後面図、ｃは図１の左右他方側の引きベルトを環状ベルトに留める様子を示した後面図
【図６】第２実施形態に係る顔面皺伸ばし用装具を前方左斜め上から示す全体斜視図
【図７】ａは図６の顔面皺伸ばし用装具の上面図、ｂは図６の顔面皺伸ばし用装具の左側面図
【図８】ａは図６の顔面皺伸ばし用装具を装着状態で示す左側面図、ｂは同状態の後面図
【図９】図６の顔面皺伸ばし用装具を装着状態で後方左斜め上から示す全体斜視図
【符号の説明】
【００４５】
１、１１  環状ベルト
２、１２  引きベルト
３ａ〜３ｄ、１３ａ〜１３ｅ  留め具
４、１４  ベルト通し
５、１５  下側谷縁
１１ａ  スリット
１２ａ  ベルト一端部
１６  額掛けベルト
【図１】
2008272436.tif 000003
【図２】
2008272436.tif 000004
【図３】
2008272436.tif 000005
【図４】
2008272436.tif 000006
【図５】
2008272436.tif 000007
【図６】
2008272436.tif 000008
【図７】
2008272436.tif 000009
【図８】
2008272436.tif 000010
【図９】
2008272436.tif 000011